(57)【特許請求の範囲】
【請求項１】
軸と、該軸の一端に設けられた頭と、該軸の別端に設けられたネジ先と、該軸の周りに螺旋状に設けられた複数ピッチのネジ山とを包含する低トルクタッピンネジにおいて、該ネジ山の外周形状は、異なる長さの相互に非対称の少なくとも三つの切削面で構成され、且つ任意の二つの隣り合う該切削面間に切削エッジが接続され、該切削エッジは該ネジ山の最大外径円周部分に形成され、これにより該切削エッジが先に物品に接触して切削し、これら切削面と該物品は完全には直接接触しないことを特徴とする、低トルクタッピンネジ。
【請求項２】
請求項１記載の低トルクタッピンネジにおいて、該ネジ山の外周形状は四角形を形成することを特徴とする、低トルクタッピンネジ。
【請求項３】
請求項１又は２記載の低トルクタッピンネジにおいて、該切削面は内に凹むように設置されることを特徴とする、低トルクタッピンネジ。
【請求項４】
請求項１記載の低トルクタッピンネジにおいて、隣り合うネジ山の対応位置にある切削エッジの対応点を相互に連結してなる仮想線が、該軸の中心線と平行に設置されることを特徴とする、低トルクタッピンネジ。
【請求項５】
請求項１記載の低トルクタッピンネジにおいて、隣り合うネジ山の対応位置にある切削エッジの対応点を相互に連結してなる仮想線が、該軸の中心線に対して傾斜を呈することを特徴とする、低トルクタッピンネジ。
【請求項６】
請求項１、３、４又は５のいずれかに記載の低トルクタッピンネジにおいて、各該切削面に複数の鋸歯が開設されたことを特徴とする、低トルクタッピンネジ。
【請求項７】
請求項６記載の低トルクタッピンネジにおいて、各該切削面の鋸歯間に少なくとも一つのネジの谷底に至る切り込みが開設されたことを特徴とする、低トルクタッピンネジ。
【発明の詳細な説明】
【技術分野】
【０００１】
本発明は一種のネジの設計に係り、特に一種の、低トルクタッピンネジに関する。
【背景技術】
【０００２】
図１、図２を参照されたい。周知のネジ１は、軸１１を包含し、該軸１１の一端に設けられた頭１２、及び、複数の螺旋状に該軸１１の周りに設けられたネジ山１３を包含する。ネジ締め時には、該頭１２に回転トルクを加え、これらのネジ山１３により物品２を切削し、それと同時に該軸１１を駆動して該物品２中にねじ込み、該ネジ１の締結機能を達成する。
【０００３】
ただし、実際に使用すると、周知のネジ１は以下の欠点を有することが分かった。
１．ネジ締め過程中に、該物品２の切り屑が有効に完全に切断されず、該物品２の繊維が該軸１１に絡まり、このためこれらネジ山１３がいずれも該物品２と緊密な接触状態を呈し、切削速度が遅くなるほか、該ネジ１の切削抵抗を増し、締めつけ過程で比較的大きなトルクが必要となり、使用の不便を増す。
２．前述したことを受け、該ネジ１の締結後に、一旦外在因子（たとえば地震）の振動の影響を受けると、該ネジ１の自動後退を極めて形成しやすく、このため、これらのネジ山１３を該物品２に緊密に締めるだけでは十分な締結力が得られず、改善が待たれている。
３．さらに、これらネジ山１３は円形に該軸１１に環状に設けられ、このため切削時に発生する切り屑は、容易にこれらネジ山１３間に溜まり、相互押圧と外向きの圧迫を発生し、このために切削速度が遅くなり、物品２が過大なトルクに耐えきれず亀裂を発生しやすくなり、ゆえにスピーディーな切削が達成できないのみならず、該ネジ１の締結に影響が生じる。
【発明の概要】
【発明が解決しようとする課題】
【０００４】
これにより、本発明の目的は、低トルクタッピンネジを提供することにあり、それは、ネジ締め過程中の締めつけトルクを減らすことができ、締結速度を高め、且つ有効に物品に亀裂が発生するのを防止するものとする。
【課題を解決するための手段】
【０００５】
本発明の低トルクタッピンネジは軸、該軸の両端に設けられた頭とねじ先、及び該軸の周りに螺旋状に設けられた複数ピッチのネジ山を包含する。そのうち、該ネジ山の外周形状は三つの非対称の切削面で構成され、且つそのうちの任意の二つの隣り合う該切削面間に切削エッジが設けられ、また、各該切削面に複数の鋸歯が開設されている。
【発明の効果】
【０００６】
本発明は、ネジ立て時に、これら切削面と切削エッジが非対称を呈する設計により、これらネジ山がネジ立てする時に、速やかに切削を実行でき、且つネジ立て過程中にこれらネジ山と該物品が発生する摩擦力を減らし、また締めつけトルクを減らし、有効に該タッピンネジの切削能力をアップして締結速度を増し、該ネジ山に切り屑を収容できる余剰空間を具備させ、切り屑の堆積と押圧による物品の亀裂が発生するのを防止する。
【図面の簡単な説明】
【０００７】
【図１】周知のネジの表示図である。
【図２】周知の締結の表示図である。
【図３】本発明の第１実施例の表示図である。
【図４】本発明の好ましい実施例の断面図である。
【図５】本発明の第２実施例の局部部品断面図である。
【図６】本発明の第３実施例の局部部品断面図である。
【図７】本発明の第４実施例の表示図である。
【図８】本発明の好ましい実施例の断面図である。
【図９】本発明の第５実施例の表示図である。
【図１０】本発明の好ましい実施例の断面図である。
【発明を実施するための形態】
【０００８】
本発明の技術内容、構造特徴、達成する目的を詳細に説明するため、以下に実施例を挙げ並びに図面を組み合わせて説明する。
【０００９】
図３、４を参照されたい。本発明の好ましい実施例によると、本発明は軸３１と、該軸３１の一端に設けられた頭３２、該軸３１の別端に設けられたネジ先３４、及び、該軸３１の周りに環状に設けられた複数ピッチのネジ山３３を包含する。そのうち、該ネジ山３３の外周形状は三つの互いに非対称の切削面３３１で構成され、且つ任意の隣り合う該切削面３３１の間に切削エッジ３３２が接続される。該切削面３３１は実際に製作される時、必要により４個、５個或いはそれ以上の非対称設計（図示せず）とされ得る。本実施例中では、三つを例として説明している。また、隣り合うネジ山の対応位置の切削エッジ３３２の対応点を相互に連結してなる仮想線Ａ（図３のとおり）は、該軸３１の中心線Ｂと平行に設置されるか、或いは、該仮想線Ａは該軸３１の中心線Ｂと傾斜角度を呈するように設置され得る（図示せず）。本実施例では、該仮想線Ａが該軸３１の中心線Ｂと平行を呈するように設置された例を以て説明している。
【００１０】
図３、図４に示されるように、ネジ立て時には、該軸３１の該頭３２と反対の一端、すなわちネジ先３４が物品４に押し付けられ、並びに回転トルクが加えられて該頭３２が回転させられ、これにより、該ネジ山３３が駆動されて回転して該物品４に切り込む。この時、各切削エッジ３３２がまず、該物品４に接触して切削し、さらに各該切削面３３１の現出する非対称設計の設置が組み合わされることで、これら切削面と該物品が完全な直接接触は発生せず、これにより、ネジ立て過程中に切り屑収容空間が、該ネジ山３３と該物品４の間に形成されて切り屑排出を補助し、これにより、これら切削面３３１の切削過程中の該物品４との相互摩擦力を減らせ、ゆえに、該ネジ山３３が速やかにこれら切削面３３１に絡みつく切り屑を切断でき、これらネジ山３３の締めつけトルクを減らせ、これにより切り屑の堆積と押圧による物品４の亀裂状況の発生を防止でき、また、これらネジ山３３間にも比較的多くの収容空間があって、切り屑の排出と収容に供され得るため、締結力を発生し、該ネジ３が締結後に、自動後退を発生する欠点を防止できる。これにより、非対称設計の各該切削面３３１の設置により、有効に該ネジ３の切削能力を向上するほか、締結速度を増し、締めつけ抵抗とトルクを減らし、且つ締結の受力時に物品に亀裂が発生する状況を防止するほか、該物品４と締結力を発生し、該ネジ３が外在因子の影響により自動後退を発生する欠点を免除し、ひいては有効に締結効率をアップする等の効果を達成する。
【００１１】
図５を参照されたい。本発明の好ましい第２実施例によると、その記載された要件は第１実施例と同じ要件構造、要件連結関係、達成しようとする目的と作用効果を有するものとされる。本実施例では特に、各一つの該切削面３３１が内に凹むように設置され、さらに特に記すべきこととして、これら切削面の数量と変化が、上述に列挙された実施例の範囲内に制限されない。すなわち、各該ネジ山３３は、図６の第３実施例に示されるように、適時に４辺の該切削面３３１により構成され、且つこれら切削面３３１はまた不等長の設計とされ得る（図示せず）。また、隣り合うネジ山において対応位置にある切削エッジ３３２の対応点を相互に連結してなる仮想線Ａは該軸３１の中心線Ｂと平行を呈するように設置されるか、或いは、該仮想線Ａは該軸３１の中心線Ｂに対して傾斜を呈するように設置され得る（図示せず）。これにより、どのような形態であっても、該ネジ３を締めつける時、これら切削エッジを利用して切削して締める以外に、これら切削面が内に凹んだ設計により、大幅に、該ネジ山３３と物品の接触面積を減らし、大幅に切り屑の収容空間を増し、すなわち、有効に締めつけトルクと摩擦抵抗を減らし、さらに、切り屑の堆積による押圧により物品に亀裂が発生する欠点を防止できる。
【００１２】
さらに、図７、８を参照されたい。本発明の第４実施例は、第１実施例と同様に、軸３１、頭３２、ネジ先３４、及び複数ピッチのネジ山３３等の構成要件を有する。本実施例では特に、各該切削面３３１に複数の鋸歯３３３が開設され、また、隣り合うネジ山の対応位置にある切削エッジ３３２の対応点を相互に連結してなる仮想線Ａ（図８に示されるとおり）が該軸３１の中心線Ｂと平行に設置されるか、或いは該仮想線Ａは該軸３１の中心線Ｂに対して傾斜を呈するように設置され得る（図示せず）。本実施例では、該仮想線Ａは該軸３１の中心線Ｂと平行に設置されたものを例として説明している。ゆえに、締結作業を行う時は、各該切削面上にこれら鋸歯３３３が設置され、さらに有効に締めつけ時にこれらネジ山３３に絡みつく切り屑を切断でき、同時に一部の切り屑を収容及び排出する効果がアップされ、これにより、該ネジ３がさらに容易に該物品４中にねじ込まれる。
【００１３】
図９、図１０は本発明の第５実施例を示し、それは前の実施例と同様に、軸３１、頭３２、ネジ先３４及び複数ピッチのネジ山３３等の構成要件を有する。特に、本実施例では、各切削面３３１の鋸歯３３３間に別に少なくとも一つの、谷底に至る切り込み３３４が設置されている。当然、各該切削面３３１には二つ或いは三つの切り込み３３４を設置可能である（図示せず）。以下に、各一つの切削面３３１に一つの該切り込み３３４が設置された場合を例として説明し、これにより該ネジ３の締めつけ時の屑排出空間を増す。ゆえに、締結時には、まず、各該切削エッジ３３２によりこれら鋸歯３３３を駆動してこれら切削面３３１に絡みつく切り屑を切断し、これにより該ネジ３がスピーディーに該物品４中にねじ込まれるようにし、また、各該切削面３３１に該切り込み３３４が設置されて切り屑の収容と外向き排出に供されることで、該ネジ３の切り屑排出効果がさらに良好となり、これにより、有効に締めつけトルク、抵抗が減らされて、締結効率がアップする。
【００１４】
総合すると、本発明の低トルクタッピンネジは、各ネジ山が三つの非対称な切削面で構成され、同時に、任意の二つの該切削面間に切削エッジ等が接続され、ゆえに、該ネジを締めつける時に、物品との摩擦を減らして、切削をスピーディーに進めるのに有利であり、また、有効に切り屑を順調に外に排出するのを助け、ひいては締めつけ抵抗、トルクを減らし、有効に締結効率を増すことができ、また物品の亀裂の発生を予防でき、ゆえに、確実に本発明の目的を達成できる。
【００１５】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００１６】
３  ネジ
３１  軸
３２  頭
３３  ネジ山
３４  ネジ先
３３１  切削面
３３２  切削エッジ
３３３  鋸歯
３３４  切り込み
４  物品
Ａ  仮想線
Ｂ  軸の中心線
【図１】
0005476398.tif 000002
【図２】
0005476398.tif 000003
【図３】
0005476398.tif 000004
【図４】
0005476398.tif 000005
【図５】
0005476398.tif 000006
【図６】
0005476398.tif 000007
【図７】
0005476398.tif 000008
【図８】
0005476398.tif 000009
【図９】
0005476398.tif 000010
【図１０】
0005476398.tif 000011